(57)【要約】【課題】  塵埃が捕集された集塵袋を廃棄処理する際、該集塵袋の首部を収縮可能にして塵埃の零れ防止を図った集塵袋及びこれを備える電気掃除機を提供する。【解決手段】  開口４０側から塵埃を吸込まさせる集塵袋本体４２と、この集塵袋本体４２に熱収縮部材４３を設けてなる集塵袋Ｆである。この集塵袋Ｆは、前記集塵袋本体４２の開口４０近傍に熱収縮部材４３を設けている。【選択図】                図２
2006006360.tif 000002
【特許請求の範囲】
【請求項１】
開口側から塵埃を吸い込ませる集塵袋本体と、この集塵袋本体に熱収縮部材を設けてなる集塵袋であって、
前記集塵袋本体の開口近傍に熱収縮部材を設けたことを特徴とする集塵袋。
【請求項２】
前記請求項１に記載の集塵袋が着脱自在に取り付けられた集塵室及び該集塵室に吸込負圧を生じさせる電動送風機を備える掃除機本体を備え、
前記集塵室内の前記集塵袋の熱収縮部材を加熱可能な加熱手段を備えることを特徴とする電気掃除機。
【請求項３】
前記加熱手段が、前記集塵室内に配置されている前記熱収縮部材の近傍位置に設けられた本体側加熱部であることを特徴とする請求項２に記載の電気掃除機。
【請求項４】
前記加熱手段が、前記集塵袋の首部に設けられたヒータであると共に、前記掃除機本体に前記ヒータへの通電手段を設けたことを特徴とする請求項２に記載の電気掃除機。
【発明の詳細な説明】
【技術分野】
【０００１】
本発明は、吸引空気と共に収集された塵埃を捕集したのちその廃棄処理の容易化を図った集塵袋及びこの集塵袋を用いた電気掃除機に関するものである。
【背景技術】
【０００２】
従来、電気掃除機の集塵室内には吸込口体から吸込まれた塵埃を捕集するための集塵袋が着脱自在に設けられているものがある。この集塵袋は入口の開口を有する台紙（口枠）とこの台紙に取り付けられている集塵袋本体とからなっている。
【０００３】
このような集塵袋は年々大きくなる傾向にある。しかし、集塵袋が大きくなると、集塵袋に捕集された塵埃が所定量に達して集塵袋を廃棄処理するときに、掃除機本体からの取り出しが容易でなかった。そこで、集塵袋本体の外面に加熱により収縮する熱収縮部材を一体的に設け、集塵袋の廃棄処理時には熱収縮部材を加熱することにより集塵袋を加熱圧縮して小型化するものが知られている（例えば、特許文献１参照）。
【特許文献１】特開平５−１４６３８４号公報
【発明の開示】
【発明が解決しようとする課題】
【０００４】
しかしながら、集塵袋本体を加熱収縮させるようにした集塵袋においては、熱収縮部材を収縮させて集塵袋本体を加熱圧縮することにより、集塵袋本体が小さくなるので、掃除機本体からの集塵袋の取り出しが容易にはなるが、集塵袋の開口部は開いたままの状態であった。
【０００５】
このため、電気掃除機本体から集塵袋を取り出すとき及び取り出された集塵袋をゴミ袋に廃棄するとき等において、集塵袋からゴミが零れたり又は微細な塵埃が舞い上がって周囲の空気を汚損させるという問題があった。
【０００６】
本発明は、塵埃が捕集された集塵袋を廃棄処理する際、該集塵袋の首部を収縮可能にして塵埃の零れ防止を図った集塵袋及びこれを備える電気掃除機を提供することを目的とするものである。
【課題を解決するための手段】
【０００７】
本発明は上述事情に鑑みなされたものであって、請求項１に記載の発明は、開口側から塵埃を吸込まさせる集塵袋本体と、この集塵袋本体に熱収縮部材を設けてなる集塵袋であって、前記集塵袋本体の開口近傍に熱収縮部材を設けたことを特徴としている。
【発明の効果】
【０００８】
請求項１に係わる発明によれば、集塵袋本体の開口近傍に熱収縮部材を設けているので、この集塵袋本体内の塵埃が所定量になって集塵袋本体を廃棄処理すべきときに前記集塵袋本体の熱収縮部材を加熱手段により加熱して前記集塵袋本体の前記首部を収縮させるようにしたことにより、集塵室からの集塵袋の取り出し時及び取り出された集塵袋の廃棄処理時におけるゴミの零れ及びこれによる室内の汚損を確実に防止することができる。また、集塵室内からの集塵袋の取り出しを容易に行うことができる。
【発明を実施するための最良の形態】
【０００９】
以下、本発明に係わる集塵袋及びこれを備える電気掃除機の実施例１を図面に基づいて説明する。
【実施例１】
【００１０】
図１は、本発明の集塵袋が用いられている電気掃除機の一例を示す外観斜視図である。図１に示す電気掃除機１０は、掃除機本体１１と、この掃除機本体１１の前部のホース接続口２１ａに一端が着脱可能に接続された集塵ホース１２等とを備えている。
【００１１】
この集塵ホース１２の他端の手元操作パイプ１３には延長管１４が着脱自在に接続され、この延長管１４の先端には吸込口体１５が着脱自在に接続されている。また、図１において、１３ａは手元操作パイプ１３に設けられた操作パネルである。
【００１２】
前記操作パネル１３ａには、「弱／中」吸込風量切り替え用のスイッチＳ１と、「強」吸込風量用のスイッチＳ２と、「切り」用のスイッチＳ３等が設けられている。
【００１３】
掃除機本体１１は、図１及び図２に示すように、本体ケース２０と、この本体ケース２０の上部にヒンジ結合されて上下方向に開閉自在にされた蓋体３０とを有している。
【００１４】
本体ケース２０の前部には、上方に開口された集塵室２１が形成されている。この集塵室２１には、本体ケース２０の前部に形成された集塵ホース１２の接続口２１ａに連通している。この本体ケース２０の後部には、電動機室２０Ａが形成され、この電動機室２０Ａには集塵室２１に吸込負圧を作用させる電動送風機２２が配設されている。
【００１５】
さらに、本体ケース２０の後部側面には一対の車輪２３（他方は図示せず）が設けられ、前部底面には旋回輪ＳＲが設けられている。
【００１６】
図２において、前記集塵室２１内には紙パックフィルタ等の集塵袋Ｆが装着されていて、この集塵袋Ｆには集塵ホース１２から吸い込まれる塵埃が補足されるようになっている。
【００１７】
蓋体３０は、集塵室２１の上部開口を覆うように設けられている。また、蓋体３０の前方には取っ手３０ａが設けられている。
【００１８】
ここで、図２に示す集塵袋Ｆは、中央に開口４０を有する板状の台紙（口枠）４１と、この台紙４１に首部４２ａが一体的に設けられた集塵袋本体４２を有している。なお、前記開口４０は、集塵袋本体４２に塵埃を吸い込むのに用いられる。
【００１９】
この集塵袋本体４２の首部４２ａの周りには、熱収縮部材４３が一体的に設けられている。この熱収縮部材４３の近傍であって前記集塵室２１内には、熱収縮部材４３を加熱するための加熱手段としての本体側加熱部４４が配設されている。この本体側加熱部４４には、例えば、ヒータが用いられている。
【００２０】
なお、前記熱収縮部材４３は、塩化ビニール又はポリエステル等の収縮率５０％程度の熱収縮性の部材からなっている。
【００２１】
図４（ａ）は、前記本体側加熱部４４の加熱動作を制御するためのブロック図を示している。
【００２２】
Ｓ４は、図２に示す集塵袋本体４２の塵埃量が所定量に達したときに使用者により操作される集塵袋処理スイッチを示していて、この操作信号はＣＰＵを有する制御装置４５に入力される。タイマー４６は集塵袋処理スイッチＳ４の操作信号により一定時間を計測開始し、一定時間が経過したときには制御装置４５に信号を送るものである。
【００２３】
また、本体側加熱部４４は集塵袋処理スイッチＳ４の操作により、図２に示す集塵袋本体４２の熱収縮部材４３を加熱開始するようになっている。さらに、表示ランプ４７は、前記タイマー４６による計測が一定時間を経過したとき、すなわち、図２に示す掃除機本体１１の集塵袋Ｆを取り出し可能になったときに、これを使用者に告知させるものである。
【００２４】
次に、上記のように構成された集塵袋及びこれを備える電気掃除機の作用について説明する。
【００２５】
図１に示す手元操作パイプ１３に設けられたスイッチＳ１又はＳ２を入れることにより図２に示す電動送風機２２が駆動するようになっている。この電動送風機２２の駆動により吸込負圧が発生し、集塵室２１、図１の集塵ホース１２、手元操作パイプ１３及び延長管１４を介して吸込口体１５の吸込室（図示せず）に吸込負圧が作用する。
【００２６】
この吸込室の吸込負圧によって、吸込口体１５の底面に設けられた吸込開口から被清掃面上の塵埃及び空気が吸い込まれ、延長管１４、手元操作パイプ１３、集塵ホース１２を介して、図２に示す掃除機本体１１の集塵室２１へ吸い込まれていく。
【００２７】
集塵室２１に吸込まれた塵埃は集塵室２１内に配設された集塵袋Ｆの集塵袋本体４２に捕集され、この際集塵袋本体４２を透過した空気は電動送風機２２に吸込まれたのちに掃除機本体１１の図示しない排気孔から排気される。
【００２８】
このような電気掃除機１０（図１参照）による塵埃の捕集作用を繰り返すことにより、図２の集塵袋本体４２には、塵埃が次第に蓄積されていく。この集塵袋本体４２内の塵埃量は、電動送風機２２の吸込開口２２Ａの前側の吸込面２２Ｂの空気密度を検出することにより得ることができると共に、例えば、掃除機本体１１に設けられた塵埃量表示手段（図示せず）により表示されている。
【００２９】
前記塵埃量が所定量に達して目詰まりをする状態になっているときには、前記塵埃量表示部がこの状態を表示して使用者に集塵袋Ｆの交換を促すように警告するようになっている。
【００３０】
使用者が集塵袋Ｆの交換をするときには、図４（ａ）に示す集塵袋処理スイッチＳ４が操作される。この集塵袋処理スイッチＳ４は、図１の手元操作パイプ１３に設けてもよく、或いは図２の掃除機本体１１に設けてもよい。
【００３１】
前記集塵袋処理スイッチＳ４が操作されると、制御装置４５はタイマー４６を起動して時間の計測を開始させると共に、本体側加熱部４４による加熱作用を開始させる。
【００３２】
図２において、本体側加熱部４４の加熱作用が開始されると、集塵袋本体４２の首部４２ａに設けられた熱収縮部材４３が加熱されて加熱収縮される。本体側加熱部４４の加熱作用が一定時間経過すると、集塵袋Ｆの首部４２ａは図３に示すように収縮されて集塵袋Ｆの口が閉じられた状態になる。
【００３３】
また、タイマー４６は、集塵袋Ｆの首部４２ａが収縮された時点で制御装置４５に信号を出し、制御装置４５はこの信号に基づいて本体側加熱部４４の加熱作用を停止させるようになっている。
【００３４】
そして、本体側加熱部４４による熱収縮部材４３の加熱作用が終了すると、制御装置４５は表示ランプ４７を点灯させて、図２の掃除機本体１１からの集塵袋Ｆの取り出しが可能であることを使用者に告知する。
【００３５】
使用者が集塵袋Ｆを取り出すときには、集塵袋Ｆの首部４２ａが収縮された状態にあって、集塵袋Ｆから塵埃が零れることが防止されているので、集塵袋Ｆの迅速な取り出し及び廃棄処理を行うことができる。
【００３６】
なお、図２においては本体側加熱部４４は熱収縮部材４３の下方に配置されている例を示したが、熱収縮部材４３の周囲に複数個設けてよいことは勿論である。
【実施例２】
【００３７】
図５は、実施例２に係わる集塵袋Ｆの一部を示している。なお、実施例１と同じものは同一符号を示してその説明は省略する。
【００３８】
実施例２においては、熱収縮部材４３の加熱手段を集塵袋Ｆの首部４２ａに一体的に設けたものであり、その他は実施例１の電気掃除機１０と同様であるので、その構成の図示及び説明は省略する。
【００３９】
図５において、首部４２ａの熱収縮部材４３の外周（又は内周）には導電性部材からなる加熱手段としてのヒータ５０が一体的に設けられている。集塵袋Ｆの台紙４１の外面（図中左側の面）には、前記ヒータ５０に接続している接点５２ａ，５２ｂが設けられている。
【００４０】
前記接点５２ａからのリード線Ｌ１はヒータ５０の一端（図中左端）に接続されている。また、ヒータ５０の他端からのリード線Ｌ２は熱収縮部材４３内を経て接点５２ｂに接続されている。
【００４１】
また、５３は台紙４１が取り付けられる掃除機本体１１（図２参照）の取付部を示している。この取付部５３には前記接点５２と対向する位置に導電板（固定接点）５４ａ，５４ｂが設けられていて、導電板５４ａ，５４ｂはリード線５５ａ，５５ｂにより図４（ｂ）の制御装置４５内の図示しない電源にそれぞれ接続されている。
【００４２】
なお、集塵袋Ｆの台紙４１が図２に示す集塵室２１内に装着されたとき、前記接点５２ａ，５２ｂは対向する導電板５４ａ，５４ｂにそれぞれ当接するようになっている。
【００４３】
前記導電板５４ａ，５４ｂ及びリード線５５ａ，５５ｂ等により、ヒータ５０に電気を通電させるための通電手段５１が構成されている。そして、上記のリード線Ｌ１，Ｌ２間に電源が接続されたときには、通電手段５１を介し前記ヒータ５０に通電されてヒータ５０が熱収縮部材４３を加熱するようになっている。
【００４４】
上記のように構成された集塵袋Ｆを用いた電気掃除機１０の作用を、図４（ｂ）及び図５に基づいて説明する。
【００４５】
電気掃除機１０による清掃により集塵袋Ｆに塵埃が貯留し、この塵埃量が所定量に達して図示しない塵埃量表示手段が表示されると、使用者により集塵袋処理スイッチＳ４（図４（ｂ）参照）が操作される。
【００４６】
この集塵袋処理スイッチＳ４の操作により、制御装置４５はタイマー４６を起動させると共に、通電手段５１を介して集塵袋側加熱部としてのヒータ５０（図５参照）に通電させることにより、ヒータ５０の加熱作用が開始される。
【００４７】
このヒータ５０による熱収縮部材４３の加熱時間はタイマー４６に設定された一定時間だけ行われ、一定時間が経過するとヒータ５０による熱収縮部材４３の加熱作用は停止するように制御される。
【００４８】
図５に示すヒータ５０により熱収縮部材４３が一定時間加熱されることによって、集塵袋Ｆの集塵袋本体４２は図３に示す実施例１と同様に首部４２ａが収縮される。これにより、実施例１と同様に集塵袋Ｆから塵埃が零れることなく集塵袋Ｆを掃除機本体１１から取り出して廃棄処理を容易に行うことができる。
【００４９】
なお、前述した実施例１，２においては、加熱手段としての本体側加熱部４４及びヒータ５０を加熱させるのは、集塵袋処理スイッチＳ４（図４参照）を手操作させることにより行われたが、必ずしもこれに限らない。
【００５０】
例えば、図２の集塵袋Ｆの塵埃量が限界の所定量に達して集塵袋本体４２に目詰まりを生じる虞が生じたときに、電動送風機２２による塵埃及び空気の吸収作用を自動的に停止させると共に、前記の加熱手段（本体側加熱部４４又はヒータ５０）による集塵袋Ｆの熱収縮部材４３の加熱作用を自動的に行わせることも可能である。
【００５１】
以上説明した発明の実施の形態に係わる集塵袋は、開口（４０）側から塵埃を吸込まさせる集塵袋本体（４２）と、この集塵袋本体（４２）に熱収縮部材（４３）を設けてなる集塵袋（Ｆ）である。この集塵袋（Ｆ）は、前記集塵袋本体（４２）の開口（４０）近傍に熱収縮部材（４３）を設けている。
【００５２】
この構成によれば、集塵袋本体（４２）の開口（４０）近傍に熱収縮部材（４３）を設けているので、この集塵袋本体（４２）内の塵埃が所定量になって集塵袋本体（４２）を廃棄処理すべきときに、前記集塵袋本体（４２）の熱収縮部材（４３）を加熱手段により加熱して前記集塵袋本体（４２）の前記首部（４２ａ）を収縮させるようにしたことにより、集塵室（２１）からの集塵袋（Ｆ）の取り出し時及び取り出された集塵袋（Ｆ）の廃棄処理時におけるゴミの零れ及びこれによる室内の汚損を確実に防止することができる。また、集塵室（２１）内からの集塵袋（Ｆ）の取り出しを容易に行うことができる。
【００５３】
また、本発明の実施の形態に係わる電気掃除機は、前記集塵袋（Ｆ）が着脱自在に取り付けられた集塵室（２１）及び該集塵室（２１）に吸込負圧を生じさせる電動送風機（２２）を備える掃除機本体（１１）を備え、前記集塵袋（Ｆ）の熱収縮部材（４３）を加熱可能な加熱手段（４４／５０）を備えている。
【００５４】
この構成によれば、掃除機本体（１１）の集塵袋（Ｆ）により捕集された塵埃が所定量に達して集塵袋（Ｆ）の交換を要するときには、加熱手段（４４／５０）により集塵袋（Ｆ）の熱収縮部材（４３）を加熱させることにより、集塵袋（Ｆ）の首部（４２ａ）が収縮されるので、集塵袋（Ｆ）からの塵埃の零れを生じることなく掃除機本体（１１）からの集塵袋（Ｆ）の取り出し及び廃棄処理を容易に行うことができる。
【００５５】
また、この発明の実施の形態に係わる電気掃除機は、前記加熱手段（４４／５０）が、前記集塵室内（２１）に配置されている前記熱収縮部材（４３）の近傍位置に設けられた本体側加熱部（４４）からなっている。
【００５６】
この構成によれば、電気掃除機の集塵室（２１）内の集塵袋（Ｆ）が、貯留された塵埃量が所定量に達したときに、集塵室（２１）内の本体側加熱部（４４）によって集塵袋（Ｆ）の熱収縮部材（４３）を加熱するので、集塵袋（Ｆ）の首部（４２ａ）は収縮されて掃除機本体（１１）からの集塵袋（Ｆ）の取り出し及び廃棄処理を容易に行うことができる。
【００５７】
また、この発明の実施の形態に係わる電気掃除機は、前記加熱手段（４４／５０）が、前記集塵袋（Ｆ）の首部（４２ａ）に設けられたヒータ（５０）であると共に、前記掃除機本体（１１）に前記ヒータ（５０）への通電手段（５１）を設けている。
【００５８】
この構成によれば、電気掃除機の集塵室（２１）内の集塵袋本体（４２）は、この集塵袋本体（４２）に貯留された塵埃量が所定量に達したときに、集塵袋本体（４２）に設けられた熱収縮部材（４３）をヒータ（５０）により加熱させるので、集塵袋本体（４２）の首部（４２ａ）は収縮されて掃除機本体（１１）からの集塵袋（Ｆ）の取り出し及び廃棄処理を塵埃の零れを生じることなく容易に行うことができる。
【図面の簡単な説明】
【００５９】
【図１】本発明に係わる集塵袋が適用された電気掃除機の斜視図である。
【図２】本発明の実施例１に係わる掃除機本体の一部縦断した側面図である。
【図３】図２における集塵袋の変化を示す掃除機本体の一部縦断した側面図である。
【図４】（ａ）は実施例１における本体側加熱部の加熱制御に係わるブロック図、（ｂ）は実施例２におけるヒータ（集塵袋側加熱部）の加熱制御に係わるブロック図である。
【図５】本発明の実施例２に係わる集塵袋Ｆの一部を示す縦断側面図である。
【符号の説明】
【００６０】
１０          電気掃除機
１１          掃除機本体
２１          集塵室
２２          電動送風機
４０          開口
４２          集塵袋本体
４２ａ        集塵袋本体の首部
４３          熱収縮部材
４４          本体側加熱部（加熱手段）
５０          ヒータ（加熱手段としての集塵袋側加熱部）
５１          通電手段
【図１】
2006006360.tif 000003
【図２】
2006006360.tif 000004
【図３】
2006006360.tif 000005
【図４】
2006006360.tif 000006
【図５】
2006006360.tif 000007